(57)【要約】【課題】２本の導電ワイヤを所定間隔を隔てて固定せずに支持可能で、導電ワイヤの取り付けが簡単かつ抜け難い碍子を提供する。【解決手段】電気柵の支柱に取り付けて使用する導電ワイヤの支持碍子を、一端に支柱に係合するフック部３２が形成され、他端にねじ部が形成された軸部３１を備える金具本体と、ねじ部に羅合するナット３４とから構成される取付金具３０と、軸部３１を挿通する貫通孔１６を備えた碍子本体１１と、碍子本体１１の上部及び下部にそれぞれ設けられ、貫通孔１６に平行な方向に延伸する第１の係止アーム１３と、第１の係止アーム１３を挟み、第１の係止アーム１３に対してそれぞれねじれの位置の関係になるように、碍子本体１１の上部及び下部にそれぞれ２本ずつ突設された第２の係止アーム１４，１５とを備えて構成した。【選択図】図６
2011003411.tif 000002
【特許請求の範囲】
【請求項１】
電気柵の支柱に取り付けて使用する導電ワイヤの支持碍子であって、
平板状の基台と、
前記基台上に設けられ、前記基台の上面に平行な方向に延伸する第１の係止アームと、
前記第１の係止アームを挟み、前記第１の係止アームに対してそれぞれねじれの位置の関係になるように、前記基台上に突設された２本の第２の係止アームと、
前記基台を前記支柱に取り付ける取付具とを備え、
導電性ワイヤを前記第１と第２の係止アームとの間の空隙を通して、前記基台、前記第１の係止アーム及び前記第２の係止アームで囲まれる空間内に挿入して支持することを特徴とする導電ワイヤの支持碍子。
【請求項２】
請求項１に記載の碍子を、一方は正立させ、他方は倒立させた状態で、前記基台の裏面同士を結合して碍子本体を形成し、
前記碍子本体に前記第１の係止アームの延伸方向に貫通孔を開け、
前記取付具を、一端に前記支柱に係合するフック部が形成され、他端にねじ部が形成された軸部を備える金具本体、及び前記ねじ部に羅合するナットとから構成される取付金具として構成し、前記軸部を前記貫通孔に挿通させ、
２本の導電ワイヤを非接触状態で支持可能にしたことを特徴とする導電ワイヤの支持碍子。
【請求項３】
前記第１の係止アームの先端部の方向が一致するように、前記基台の裏面同士を結合して碍子本体を形成したことを特徴とする請求項２に記載の導電ワイヤの支持碍子。
【請求項４】
前記碍子本体の前記貫通孔を除く部分に、前記２本の導電ワイヤ間の沿面距離確保用のスリットを形成したことを特徴とする請求項２又は３に記載の導電ワイヤの支持碍子。
【請求項５】
前記碍子を、前記第１の係止アームを備えた第１の碍子と、前記第２の係止アームを備えた第２の碍子とに分割し、前記第２の碍子は前記第１の碍子に対して前記取付金具によって結合させることを特徴とする請求項２から４の何れか１項に記載の導電ワイヤの支持碍子。
【請求項６】
前記第２の碍子を前記第１の碍子に対して垂直な係止板として構成し、前記第２の係止アームは、前記係止板の両側の部分を前記第１の碍子方向に延伸させて形成したことを特徴とする請求項５に記載の導電ワイヤの支持碍子。
【請求項７】
前記係止板の上端部と下端部に、前記第１の碍子方向に延伸させた第２の係止板を形成したことを特徴とする請求項６に記載の導電ワイヤの支持碍子。
【請求項８】
請求項１に記載の碍子を、前記第１の係止アームが同軸上に位置する並列に並べ、前記基台上面が１つの面を形成するように前記基台同士を結合して碍子本体を形成し、
前記碍子本体の裏面側に前記支柱に係合する取付具を設け、
２本の導電ワイヤを非接触状態で支持可能にしたことを特徴とする導電ワイヤの支持碍子。
【請求項９】
前記第１の係止アームの先端部の方向が反対方向を向くように、前記基台同士を結合して碍子本体を形成したことを特徴とする請求項８に記載の導電ワイヤの支持碍子。
【請求項１０】
前記第１の係止アームを挟む前記２本の第２の係止アームの自由端を、補助アームで連結したことを特徴とする請求項１から９の何れか１項に記載の導電ワイヤの支持碍子。
【発明の詳細な説明】
【技術分野】
【０００１】
本発明は導電ワイヤの支持碍子に関し、特に、農場において猿、鳥類等の侵入を防止する電気柵に張設して通電する導電ワイヤを支持する碍子に関する。
【背景技術】
【０００２】
従来、牧場などで牛や馬等の牧畜用の動物を放牧する場所の境界には、動物が放牧地から逃げないように囲い込む用途で電気柵が設置されている。電気柵は、牛や馬等の動物がこの電気柵に触れると、電気柵用電源装置（パワーユニット）から出力された高電圧による電気ショックを受け、以後電気柵に近づかなくなることで、動物の逃走を防止するものである。この電気柵の一般的な構成について、図１を用いて説明する。
【０００３】
図１に示すように電気柵６は、所定の距離を隔てて地面１に埋め込まれた絶縁材料製の複数本の支柱(ポスト)４に、地面１から所定の間隔で複数本の導電ワイヤ２が掛け渡されて構成されている。この導電ワイヤ２には、電源５に接続されたパワーユニット３の正極（＋）からの高電圧（数千ボルト）が印加されるようになっている。パワーユニット３から出力された高電圧の電気は、導電ワイヤ２に触れた動物の体を抜け、地面１を通ってパワーユニット３の負極（−）に戻るようになっている。
【０００４】
一方、電気柵は、前述のように動物を逃がさないようにする用途に使用される他、動物を近づけないようにする用途にも使用される。例えば、農家の畑で栽培する作物が猿や猪などの動物によって荒らされないようにするために、畑の周囲を電気柵で囲ったりすることが行われている。
【０００５】
また近年、果樹園等の農家において、野鳥によって果樹が食い荒らされる被害が報告されている。鳥は飛来して電気柵の上方空間より侵入するので、電気柵では鳥の侵入を防止できない。また、鳥が飛来して電気柵の１本の導電ワイヤの上に止まっても、鳥は片方の極にしか触れないので、鳥に電気は流れず電気ショックを与える事はできない。更に、猿は、電気柵に飛びつくことができ、地上に触れることなく電気柵の導電ワイヤの上に乗ることができるので、猿に電気は流れず電気ショックを与える事はできない。よって、果樹園農家においては、果樹園の木の上方に導電ケーブルを網状にして交互に極性を異ならせて張り巡らし、鳥や猿の侵入を防止することが行われている。
【０００６】
ところで、導電ワイヤを支柱間に張設する場合には、導電ワイヤには高い電圧が印加されるので、支柱に絶縁材料で構成された碍子を取り付け、この碍子に導電ワイヤを支持させる必要がある。ここで、これまで実用化されている代表的な導電ワイヤの支持用碍子の構造と、その碍子への導電ワイヤの取り付け方法について説明する。
【０００７】
図２は、電気柵に張り巡らされる導電ワイヤ２を支柱４に取り付けるための、従来の碍子５０の構成を示すものである。碍子５０は、支柱４への取付具５１と、この取付具５１に設けられたワイヤ支持具５２とから構成されている。ワイヤ支持具５２には、基台５３と、この基台５３に突設された２つの支持突起５４，５５がある。支持突起５４，５５は所定の間隔を隔てて平行の並んでおり、支持突起５４には上側に開口するＵ字溝５６があり、支持突起５５には下側に開口するＵ字溝５７がある。Ｕ字溝５６、５７は支持突起５４，５５の側面側から見通せるようになっており、支持突起５４，５５の間のスペースに導電ワイヤ２を縦方向に入れ、Ｕ字溝５６、５７の開口側にひねると、導電ワイヤ２が２つの支持突起５４，５５に、外れ難い状態で支持されるようになっている。
【０００８】
図３（ａ）は電気柵の支柱４に導電ワイヤを支持するための、従来の別の例の碍子４０の構成を示すものであり、特許文献１に示されるものである。３０は取付金具、３１はねじが設けられている軸部、３２は電気柵の支柱４に係止するフック部、３３は合成樹脂等の絶縁体からなるシリンダ状の碍子本体、３４は支柱４と碍子本体３３を締め付けるために軸部３１にねじ込まれる蝶ナット、３５は軸部３１を挿通する貫通孔である。また、碍子本体３３には、導電ワイヤ巻き付け部４０ａ，４０ｂ及びスリット部４０ｃが設けられており、そこに導電ワイヤを巻き付けて支持するようになっている。
【０００９】
図３（ｂ）は図３（ａ）に示した碍子４０に導電ワイヤ２を巻き付けて支持した状態を示すものである。この例では、導電ワイヤ２は巻き付け部４０ｂから巻き始め、スリット部４０ｃを通して巻き付け部４０ａを半周させ、更にスリット部４０ｃを通して巻き付け部４０ｂから外部に引き出すようになっている。図３（ｃ）は図３（ｂ）の方法と別の方法で、（ａ）に示した碍子４０に導電ワイヤ２を巻き付けて支持した状態を示すものである。この例では、導電ワイヤ２は巻き付け部４０ｂから巻き始め、巻き付け部４０ｂを半周以上巻いた後にスリット部４０ｃを通して巻き付け部４０ａを半周させ、巻き付け部４０ａから外部に引き出すようになっている。
【先行技術文献】
【特許文献】
【００１０】
【特許文献１】特開２００７−３０５３０７号公報（図６〜図９）
【発明の概要】
【発明が解決しようとする課題】
【００１１】
しかしながら、図２に示される従来の碍子５０では、導電ワイヤ２の緩みや、導電ワイヤ２が猿のような手が使える動物によって引っ張られる等、導電ワイヤ２に通常でない特別な外力が加わること等により、導電ワイヤ２が碍子４０から外れ易いという問題点があった。また、図３に示される従来の碍子４０では、導電ワイヤ２が碍子４０に巻き付けられて固定されているので、導電ワイヤ２の張設に手間がかかると共に、張設後の動物の導電ワイヤ２への接触方向によっては、２つの碍子間ではワイヤが伸びないために導電ワイヤ２が断線する、碍子４０がもげる、又は支柱４が曲がるという問題点があった。
【００１２】
更に、鳥や猿の侵入を防止するための電気柵の場合は、プラスの電圧を印加する導電ワイヤとアースに接続する導電ワイヤとを所定の間隔で並べて支柱間に張設することが行われていたが、図２、図３に示した碍子５０，４０では導電ワイヤ２が１本しか張設できないという問題点があった。導電ワイヤ２を２本、近接させて並列に張設する理由は、猿が極性の異なる２本の導電ワイヤ２を握らないと感電せず、鳥も２本の導電ワイヤ２に跨って止まらないと感電しないからである。
【００１３】
そこで本発明の目的は、電気柵の支柱に碍子を取り付けた後、この碍子に２本の導電ワイヤを所定間隔を隔てて支持させることができ、また、導電ワイヤが碍子によって固定されない状態で支持され、更に、碍子への導電ワイヤの取り付けが簡単でかつ取り付けられた導電ワイヤが碍子から抜け難い構造を有する導電ワイヤの支持碍子を提供することを目的としている。
【課題を解決するための手段】
【００１４】
前記目的を達成する本発明の導電ワイヤの支持碍子は、電気柵の支柱に取り付けて使用する導電ワイヤの支持碍子であって、平板状の基台と、この基台上に設けられ、基台の上面に平行な方向に延伸する第１の係止アームと、第１の係止アームを挟み、第１の係止アームに対してそれぞれねじれの位置の関係になるように、基台の上に突設された２本の第２の係止アームと、この基台を支柱に取り付ける取付具とから構成したその基本形態を有することを特徴としている。
【００１５】
そして、本発明の導電ワイヤの支持碍子の第１の形態は、この基本形態の碍子を、一方は正立させ、他方は倒立させた状態で、基台の裏面同士を結合し、結合した基台に第１の係止アームの延伸方向に取付具挿通用の貫通孔を開けた碍子本体と、一端に支柱に係合するフック部を有し、他端にねじ部を有する軸部を備える金具本体とねじ部に羅合するナットとを含む取付金具として構成した取付具とを備えて構成することができる。
【００１６】
また、本発明の導電ワイヤの支持碍子の第２の形態は、この基本形態の碍子を、第１の係止アームが同軸上に位置するように並列に並べ、基台の上面が１つの面を形成するように基台同士を結合して碍子本体とし、碍子本体の裏面側に支柱に係合する取付具を設けて構成することができる。
なお、前述の第１、第２の形態において、２本の第２の係止アームの自由端を連結する補助アームを設けることも可能である。
【発明の効果】
【００１７】
本発明によれば、碍子に所定間隔を隔てて２本の導電ワイヤを挿通して支持することができるので、この２本の導電ワイヤに極性の異なる電圧を印加しておけば、２本の導電ワイヤに同時に触れた鳥、猿などの害獣を感電させて撃退することができる。また、本発明の碍子は、導電ワイヤを容易に挿通させることができると共に、一度挿通された導電ワイヤが碍子から抜け難いという効果がある。
【図面の簡単な説明】
【００１８】
【図１】従来の電気柵の構成を示す斜視図である。
【図２】電気柵の支柱に導電ワイヤを支持するための、従来の碍子の一例の構成を示す斜視図である。
【図３】（ａ）は電気柵の支柱に導電ワイヤを支持するための、従来の碍子の別の例の構成を示す組み立て斜視図、（ｂ）は（ａ）の碍子に導電ワイヤを巻き付けて支持した状態を示す正面図、（ｃ）は（ｂ）の方法と別の方法で（ａ）の碍子に導電ワイヤを巻き付けて支持した状態を示す正面図である。
【図４】（ａ）は本発明の碍子の基本形態の構成と導電ワイヤのこの基本形態の碍子への挿入方法を説明する斜視図、（ｂ）は（ａ）の側面図、（ｃ）は（ａ）の平面図、（ｄ）は（ａ）に示す碍子の基本形態に導電ワイヤを支持させた状態を示す斜視図、（ｅ）は（ｄ）の側面図、（ｆ）は（ｄ）の平面図である。
【図５】（ａ）は図４に示した本発明に係る碍子の基本形態を、一方の上下を逆にして接合して構成される第１の形態の構成を示す組立視図、（ｂ）は図４に示した本発明に係る碍子の基本形態を前後を逆にして接合して構成される第２の形態の構成を示す組立視図である。
【図６】（ａ）は本発明に係る碍子の第１の形態の第１の実施例の構成を示す斜視図、（ｂ）は本発明に係る碍子の第１の形態の第２の実施例の構成を示す斜視図である。
【図７】（ａ）は本発明に係る碍子の第１の形態の第３の実施例の構成を示す組立斜視図、（ｂ）は（ａ）の碍子を組み立てた状態の平面図である。
【図８】（ａ）は図７（ａ）、（ｂ）に示した碍子に２本の導電ワイヤを挿通して支持させた状態を示す斜視図、（ｂ）は（ａ）に示した碍子を用いた電気柵の構成を示す斜視図である。
【図９】（ａ）は本発明に係る碍子の第１の形態の第４の実施例の構成を示す組立斜視図、（ｂ）は（ａ）の碍子を組み立てた状態の平面図、（ｃ）は（ａ）、（ｂ）に示した碍子の押さえ片の変形例を示す平面図である。
【図１０】（ａ）は図９（ａ）に示した第１の碍子の正面図、（ｂ）は第１の碍子の平面図、（ｃ）は図９（ｃ）に示した第２の碍子の背面図、（ｄ）は図１０（ａ）、（ｂ）に示した碍子の本体に図９（ｃ）に示した第２の碍子を取り付けた後の一部断面を含む側面図である。
【図１１】（ａ）は支柱にネットをクランパを用いて固定する直前の様子を示す組立斜視図、（ｂ）はクランパを用いてネットが支柱に固定されている状態を示す斜視図である。
【図１２】図１１（ａ）、（ｂ）に示したクランパの胴体部分を、本発明に係る第２の形態の碍子の取付部とした碍子の構成を示す斜視図である。
【図１３】（ａ）は図４（ｄ）に示した碍子の基本形態の変形例を示す斜視図、（ｂ）は図６（ｂ）に示した本発明に係る碍子の第１の形態の第２の実施例の変形例の構成を示す斜視図、（ｃ）は図９（ｃ）に示した碍子の押さえ片の別の変形例を示す平面図、（ｄ）は図１２に示した本発明に係る第２の形態の碍子の取付部とした碍子の変形例の構成を示す斜視図である。
【発明を実施するための形態】
【００１９】
以下、添付図面を用いて本発明の実施の形態を、具体的な実施例に基づいて詳細に説明する。なお、図１〜３で説明した従来の電気柵及び碍子と同じ構成部材には同じ符号を付して説明する。また、形状は異なっても同じ部位に使用される同じ機能の構成部材には、同じ符号を付して説明する。
【００２０】
図４（ａ）、（ｂ）、（ｃ）は本発明の碍子１０の基本形態の構成を示すものであり、図４（ａ）が碍子１０の斜視図、図４（ｂ）が碍子１０の側面図、（ｃ）が碍子１０の平面図である。また、図４（ａ）に碍子１０への導電ワイヤ２の挿入方法を示してある。基本形態の碍子１０には、平板状のベース板１１があり、このベース板１１の上に第１の係止アーム１３と２本の第２の係止アーム１４，１５がある。第１の係止アーム１３は、ベース板１１の端部に突設された支持壁１２に支持され、ベース板１１に平行に延伸されている。一方、第２の係止アーム１４，１５は、第１の係止アーム１３を挟んで対向する位置にベース板１１に突設されており、第１の係止アーム１３と第２の係止アーム１４，１５の間には所定の空隙がある。言い換えれば、第１の係止アーム１３と第２の係止アーム１４，１５は、それぞれねじれの位置の関係にベース板１１の上に配置されている。
【００２１】
ベース板１１、支持壁１２、第１の係止アーム１３、及び第２の係止アーム１４，１５で囲まれる空間に、ワイヤ２を挿入する場合は、図４（ａ）に示すようにワイヤ２を矩形に折り曲げ、折り曲げ部を第１の係止アーム１３と第２の係止アーム１４，１５の間の空隙を通過させた後に、両側から引っ張る。ベース板１１、支持壁１２、第１の係止アーム１３、及び第２の係止アーム１４，１５で囲まれる空間にワイヤ２が挿入された状態を図４（ｄ）、（ｅ）、（ｆ）に示す。この状態では、図４（ｅ）に示すように、ワイヤ２がどの方向に移動しようとしても、ベース板１１、支持壁１２、第１の係止アーム１３、及び第２の係止アーム１４，１５に遮られるので、一旦碍子１０に挿入されたワイヤ２は、碍子１０から外れない。
【００２２】
本発明では、ベース板１１、支持壁１２、第１の係止アーム１３、及び第２の係止アーム１４，１５を絶縁部材から構成して基本形態の碍子１０とし、碍子１０のベース板１１を何らかの取付具を用いて電気柵の支柱に固定する。この基本形態の碍子１０では、ベース板１１、支持壁１２、第１の係止アーム１３、及び第２の係止アーム１４，１５で囲まれる空間に導電ワイヤ２を挿通して保持することができる。導電ワイヤ２としては、ナイロン等の合成樹脂製の撚り線に、導電性の金属線を編みこんだものが使用される。なお、支持壁１２の先端部を湾曲させてその先端部に第１の係止アーム１３を一体的に形成することもでき、支持壁１２を無くして第１の係止アーム１３の基部が直接ベース板１１に斜めに接続するようにしても良い。
【００２３】
本発明では、図４で説明した基本形態の碍子１０を２個結合させて２本の導電ワイヤ２を平行に保持することができる２線保持碍子２０を構成する。碍子１０を２個結合させて２本の導電ワイヤ２を平行に保持するためには、２通りの碍子１０の結合方法が考えられるので、以下に２通りの結合方法で構成した第１と第２の形態の２線保持碍子２０について説明する。
【００２４】
図５（ａ）は本発明の第１の形態の２線保持碍子２０の構成を説明するものである。第１の形態の２線保持碍子２０は、図４に示した基本形態の２個の碍子１０を、一方はそのまま（正立状態）とし、他方は上下を逆にし（倒立状態）、ベース板１１の裏面同士を接合して構成する。この例では、第１の係止アーム１３の先端部が同じ方向を向いた状態でベース板１１の裏面同士を接合しているが、第１の係止アーム１３の先端部を逆方向を向けた状態でベース板１１の裏面同士を接合しても良い。第１の形態の２線保持碍子２０では、ベース板１１に平行な方向に何らかの取付具（ヒートンや洋灯吊り）を取り付けることができる。
【００２５】
図５（ｂ）は本発明の第２の形態の２線保持碍子２０の構成を説明するものである。第２の形態の２線保持碍子２０は、図４に示した基本形態の２個の碍子１０を、一方はそのままとし、他方は前後を逆にし、同じ平面上でベース板１１の背面同士を接合して構成する。この例では、第１の係止アーム１３の先端部が逆方向を向いた状態でベース板１１の端面同士を接合しているが、第１の係止アーム１３の先端部を対向させた状態でベース板１１の裏面同士を接合することもできる。しかし、第１の係止アーム１３の先端部を対向させた状態でベース板１１の裏面同士を接合させると、導電ワイヤ２の碍子２０への挿入時に導電ワイヤ２同士が近づき、接触する可能性があるので、第１の係止アーム１３の先端部は逆方向を向けた状態でベース板１１の端面同士を接合する方が良い。第２の形態の２線保持碍子２０では、ベース板１１に垂直な方向に何らかの取付具（木ねじやステープル、或いはボルト）を取り付けることができる。
【００２６】
図６（ａ）は、本発明に係る第１の形態の第１の実施例の碍子２１の構成を示すものである。第１の実施例の碍子２１では、ベース板１１を薄く形成し、碍子２１を絶縁性を有する合成樹脂で一体的に成型している。第２の係止アーム１４，１５は後から取り付けても良い。そして、ベース板１１の中央部には、第１の係止アーム１３に平行な貫通孔１６を設けている。貫通孔１６が設けられたベース板１１の部位はこの実施例では肉厚になっている。また、この実施例では、第２の係止アーム１４，１５が円柱状をしており、支持壁１２の支柱への取り付け側には湾曲部１７が形成されている。貫通孔１６には図３（ａ）で説明した軸部３１とフック部３２とを有する取付金具３０が挿通され、貫通孔１６から突出した軸部３１に蝶ナット３４が取り付けられる。
【００２７】
図６（ｂ）は本発明に係る第１の形態の第２の実施例の碍子２２の構成を示すものである。第２の実施例の碍子２２が第１の実施例の碍子２１と異なる点は、ベース板１１の構成のみである。第１の実施例ではベース板１１が一枚板であったが、第２の実施例では、ベース板１１がスリット１８を隔てて上下２枚に分割されている。ベース板１１にスリット１８を設ける理由は、ベース板１１、支持壁１２、第１の係止アーム１３、及び第２の係止アーム１４，１５で囲まれる空間には高電圧が印加される２本の導体ワイヤ２が挿入されるので、このスリット１８により２本の導体ワイヤ２の沿面距離を確保するためである。
【００２８】
図７（ａ）は本発明に係る碍子の第１の形態の第３の実施例の碍子２３構成を示すものである。第３の実施例では、碍子２３を第１の碍子４１と第２の碍子４２の２つに分割して構成し、第１の碍子４１にベース板１１の大部分１１Ａと第１の係止アーム１３を配置し、第２の碍子４２にベース板１１の一部１１Ｂと第２の係止アーム１４，１５を配置している。また、第３の実施例では、第１、第２の実施例における支持壁１２の部分をシリンダ状のシリンダ部４３とし、このシリンダ部４３の底面１２Ａに第１の係止アーム１３を突設している。
【００２９】
シリンダ部４３の自由端側には支柱に係合させるための切欠４６が設けられている。そして、第１の係止アーム１３の外側の表面は、シリンダ部４３の外周面と面一になっており、円弧状に湾曲している。ベース板１１Ａには第２の実施例同様にスリット１８Ａがあり、ベース板１１Ａの中央部にはガイド孔４４が設けられている。一方、第２の碍子４２には、第１の碍子４１にあるガイド孔４４に嵌合するスリーブ４７と、第２の碍子４２を第１の碍子４１に結合した時にベース板１１Ａと一体となってベース板１１となるベース板１１Ｂがあり、ベース板１１Ｂの上に第２の係止アーム１４，１５が突設されている。ベース板１１Ｂにはスリット１８Ｂがあり、スリーブ４７には前述の取付金具を挿通するための貫通孔１６がある。
【００３０】
図７（ｂ）は、図７（ａ）に示した碍子２３を組み立てた状態を平面視したものである。第３の実施例の碍子２３の構成は、シリンダ部４３の構成を除けば図６（ｂ）で説明した第２の実施例の碍子２２と同じである。第３の実施例の碍子２３に２本の導電ワイヤ２Ａ、２Ｂを挿通して支持させた状態を図８（ａ）に示す。２本の導電ワイヤ２Ａ、２Ｂは、ベース板１１Ａによって所定距離隔てられた状態で碍子２３に支持される。２本の導電ワイヤ２Ａ、２Ｂには異なる極性の電圧が印加される。例えば、導電ワイヤ２Ａに高電圧の電位が印加され、導電ワイヤ２Ｂがアースに接続される。
【００３１】
図８（ｂ）は、図８（ａ）に示した碍子２３を用いた電気柵７の構成を示すものである。図８（ｂ）に示す電気柵７は、所定の距離を隔てて地面１に埋め込まれた絶縁材料製の複数本の支柱４に、地面１から所定の間隔で複数本の導電ワイヤ２Ａ，２Ｂの組が掛け渡されて構成されている。この導電ワイヤ２Ａには、電源５に接続されたパワーユニット３の正極（＋）からの高電圧（数千ボルト）が印加されるようになっている。また、導電ワイヤ２Ｂは、負極（−）に接続されている。２本の近接する導電ワイヤ２Ａ，２Ｂの間には高電圧が印加されているので、導電ワイヤ２Ａ，２Ｂの両方に触れた動物には高電圧の電流が流れ、動物は電気ショックを受けることになる。
【００３２】
図９（ａ）は本発明に係る第１の形態の第４の実施例の碍子２４の構成を示すものである。第４の実施例でも第３の実施例同様に、碍子２４を第１の碍子４１と第２の碍子４２の２つに分割して構成している。第４の実施例の第１の碍子４１の構成は、第３の実施例の第１の碍子４１の構成と殆ど同じであり、ベース板１１、第１の係止アーム１３、及びシリンダ部４３がある。相違点は、第３の実施例ではベース板１１の先端部が矩形状に切り欠かれていたのに対して、第４の実施例ではベース板１１の先端部が三角形状に切り欠かれている点のみである。よって、第４の実施例の第１の碍子４１の構成についてはこれ以上の説明を省略する。
【００３３】
一方、第４の実施例の第２の碍子４２の構成は、第３の実施例の第２の碍子４２の構成と大きく異なる。第４の実施例の第２の碍子４２には、第３の実施例と同様に、第１の碍子４１のガイド孔４４に嵌合されるスリーブ４７はあるが、ベース板１１の一部はなく、スリーブ４７の端部に係止壁４８が設けられている。このスリーブ４７に前述の取付金具を挿通するための貫通孔１６がある点は同じである。そして、この係止壁４８の両側にウイング状にガード部４５が設けられている。ガード部４５の端部は円弧状に湾曲した湾曲部４５Ａとなっており、この湾曲部４５Ａが第３の実施例における第２の係止アーム１４，１５の外周面と同じ位置にあり、第１の係止アーム１３は２つの湾曲部４５Ａに挟まれている。
【００３４】
図９（ｂ）は、図９（ａ）に示した碍子２４を組み立てた状態を平面視したものである。この図から分かるように、第４の実施例の碍子２４では、第１の碍子４１に第２の碍子４２を取り付けると、ガード部４５の湾曲部４５Ａが第３の実施例における第２の係止アーム１４，１５と同じ機能を果たす。更に、図９（ｃ）に示すように、係止壁４８とガード部４５の両端部にひさし部４９を設けて、碍子２４から導電ワイヤが一層外れ難くなるようにしても良い。
【００３５】
図１０（ａ）は図９（ａ）に示した碍子２４の第１の碍子４１を正面から見た状態を示しており、図１０（ｂ）は図１０（ａ）に示した碍子２４の第１の碍子４１を平面視したものである。これらの図に示すように、第１の係止アーム１３の外側の面は、先端部に向かっても湾曲させても良く、また、第１の係止アーム１３の内側の面も平坦面でなく、湾曲面に形成しても良い。更に、ベース板１１は、縁部に向かって板厚が薄くなるように先細に形成しても良い。
【００３６】
図１０（ｃ）は図９（ｃ）に示した第２の碍子４２を背面側から見た図であり、図１０（ｄ）は図１０（ａ）、（ｂ）に示した第１の碍子４１に図９（ｃ）、図１０（ｃ）に示した第２の碍子４２を取り付けた後の状態を側面から見たものである。第１の碍子４１に第２の碍子４２を結合させた時のひさし部４９の位置がよく分かるように、図１０（ｄ）には第２の碍子４２のみ断面で示してある。また、図１０（ｄ）には、第４の実施例の碍子２４に２本の導電ワイヤ２Ａ，２Ｂが保持された状態を示している。この図から分かるように、係止壁４８とガード部４５の両端部にひさし部４９が設けられていると、２本の導電ワイヤ２Ａ，２Ｂが係止壁４８側に移動した状態で上下動しても、ひさし部４９が係止壁４８に沿った通路を塞ぐので、碍子２４からの導電ワイヤ２Ａ，２Ｂの外れが防止される。
【００３７】
ここで、本発明の第２の形態の碍子の構成を説明する前に、図１１（ａ）及び（ｂ）を用いて、支柱４にナイロン製等の柔軟で薄いネット８を、固定具（クランパ）６０を用いて固定する方法を説明する。支柱４と支柱４の間にネット８を取り付ける場合は、図１１（ａ）に示すようにネット８を支柱４の形状になるように撓ませ、撓ませたネット８の背後から、一部が縦方向に切り欠かれた筒状のクランパ６０を押し当てて支柱４に嵌め込み、更に、クランパ６０の外周部に設けられた円周溝６１にＣ形状のばね６２を嵌め込む。図１１（ｂ）に、クランパ６０とばね６２を用いてネット８が支柱４に固定された状態を示す。
【００３８】
本発明の第２の形態の一実施例の碍子２５は、例えば、このクランパ６０の外周面に形成することができる。これを図１２を用いて説明する。図１２は本発明の第２の形態の一実施例の碍子２５の構成を示すものである。この実施例では、碍子２５の支柱４への取付具として、図１１に示したクランパ６０を使用し、図５（ｂ）で説明したベース板１１とベース板１１の支柱４への取付具をクランパ６０で兼用する。即ち、ベース板１１としてクランパ６０にある２つの溝部６１の間の胴体部分を使用し、この胴体部分に支持壁１２を突設し、この支持壁１２の自由端部の両側に、クランパ６０の軸線方向に平行な第１の係止アーム１３を形成する。そして、クランパ６０の胴体部分に４本の第２の係止アーム１４，１５を、これらがそれぞれ第１の係止アーム１３とねじれの位置の関係になるように突設する。
【００３９】
以上のように構成された碍子２５は、図１１（ｂ）に示したような状態で支柱４に取り付けることができる。そして、この状態で碍子２５の支持壁１２、第１の係止アーム１２、及び第２の係止アーム１４，１５で囲まれる空間に導電ワイヤを挿通すれば、支柱４と支柱４の間に平行な２本の導電ワイヤを張設することができる。
【００４０】
本発明の第２の形態における取付具はこの実施例に限定されるものではなく、例えば、両端にフック部を備え、２本のワイヤ間に引っ掛けることができる絶縁板の上にも形成することや、第１の形態で説明した第１の碍子４１のシリンダ部４３の底面１２Ａに、図１２に示した構成の支持壁１２、第１の係止アーム１２、及び第２の係止アーム１４，１５を設け、支持壁１２に貫通孔１６を設けて図６（ａ）に示した取付金具３０で支柱４に取り付けることも可能である。
【００４１】
更に、以上説明した２つの実施形態では、第２の係止アームには自由端が存在したが、自由端同士を連結した形態も可能である。この形態について、図１３により説明する。図１３（ａ）は図４（ｄ）に示した基本形態の碍子１０の変形例を示すものである。この変形例では、第２の係止アーム１４，１５の自由端部が補助アーム１９によって連結されている。図１３（ｂ）は図６（ｂ）に示した第１の形態の第２の実施例の碍子２２の変形例の構成を示すものである。この変形例でも、２組ある第２の係止アーム１４，１５の自由端部が、それぞれ補助アーム１９によって連結されている。図１３（ｃ）は図９（ｃ）に示した第２の碍子４２の別の変形例の構成を示すものである。この変形例では、ひさし部４９を湾曲部４５Ａの部分まで延長して、補助アームを兼ねるひさし部４９Ａが形成されている。図１３（ｄ）は図１２に示した第２の形態の碍子２５の変形例の構成を示すものである。この変形例では、２組ある第２の係止アーム１４，１５の自由端部が、それぞれ補助アーム１９によって連結されている。これら変形例では碍子に導電ワイヤを支持させるのに少々手間がかかるが、碍子に支持された導電ワイヤの外れ難さが向上する。
【符号の説明】
【００４２】
１    地面
２    導電ワイヤ
３    パワーユニット
４    支柱
６，７    電気柵
８    ネット
１０    本発明の基本形態の碍子
１１    ベース板
１２    支持壁
１３    第１の係止アーム
１４、１５    第２の係止アーム
１６    貫通孔
１８    スリット
１９    補助アーム
２０    ２線保持碍子
２１〜２５    本発明の実施例の碍子
３０    取付金具
４１    第１の碍子
４２    第２の碍子
４３    シリンダ部
４４    ガイド孔
４５    ガード部
４７    スリーブ
４８    係止壁
４９    ひさし部
６０    クランパ
６１    溝部
６２    ばね
【図１】
2011003411.tif 000003
【図２】
2011003411.tif 000004
【図３】
2011003411.tif 000005
【図４】
2011003411.tif 000006
【図５】
2011003411.tif 000007
【図６】
2011003411.tif 000008
【図７】
2011003411.tif 000009
【図８】
2011003411.tif 000010
【図９】
2011003411.tif 000011
【図１０】
2011003411.tif 000012
【図１１】
2011003411.tif 000013
【図１２】
2011003411.tif 000014
【図１３】
2011003411.tif 000015